(57)【特許請求の範囲】
【請求項１】
装填された光ディスクを回転駆動するターンテーブル、該ターンテーブルを駆動するスピンドルモータ、光学ヘッド装置及び該光学ヘッド装置を直線移動させる直線駆動手段を少なくとも有し、該直線駆動手段は、上記光学ヘッド装置の直線移動を決定する直線移動決定軸及び上記光学ヘッド装置の上記直線移動決定軸の周囲の回動方向を規制する回動方向規制手段並びに上記直線移動決定軸若しくは上記回動方向規制手段と兼用又は単独の送りねじ、該送りねじを駆動するモータ並びに上記光学ヘッド装置にそれぞれ取り付けられた、上記送りねじと螺合するナット、上記送りねじと兼用しない場合の上記直線移動決定軸を受ける軸受け部及び上記送りねじと兼用しない場合の上記回動方向規制手段と摺動する摺動子を備える光ディスク駆動装置であって、
上記直線移動決定軸及び上記送りねじのうちの少なくとも一方は、ヒートパイプから構成されていることを特徴とする光ディスク駆動装置。
【請求項２】
請求項１に記載の光ディスク駆動装置において、
上記回動方向規制手段は、ヒートパイプから構成されていることを特徴とする光ディスク駆動装置。
【請求項３】
請求項１に記載の光ディスク駆動装置において、
上記ヒートパイプから構成される、上記直線移動決定軸及び上記送りねじのうちの少なくとも一方の表面は、研磨されていることを特徴とする光ディスク駆動装置。
【請求項４】
請求項２に記載の光ディスク駆動装置において、
上記ヒートパイプから構成される、上記回動方向規制手段の表面は、研磨されていることを特徴とする光ディスク駆動装置。
【発明の詳細な説明】
【０００１】
【発明の属する技術分野】
本発明は、光ディスク駆動装置に関する。
【０００２】
【従来の技術】
ＣＤ（コンパクトディスク）、ＤＶＤ（デジタル多機能ディスク）、ＭＤ（ミニディスク）、ＭＯ（光磁気ディスク）等の光ディスクを駆動する光ディスク駆動装置は、種々提案されている。
【０００３】
【発明が解決しようとする課題】
本発明者等は、装填された光ディスクを回転駆動するターンテーブル、そのターンテーブルを駆動するスピンドルモータ、光学ヘッド装置及びその光学ヘッド装置を直線移動させる直線駆動手段を少なくとも有し、その直線駆動手段は、光学ヘッド装置の直線移動を決定する直線移動決定軸及び光学ヘッド装置の直線移動決定軸の周囲の回動方向を規制する回動方向規制手段並びに直線移動決定軸若しくは回動方向規制手段と兼用又は単独の送りねじ、その送りねじを駆動するモータ並びに光学ヘッド装置にそれぞれ取り付けられた、送りねじと螺合するナット、送りねじと兼用しない場合の直線移動決定軸を受ける軸受け部及び送りねじと兼用しない場合の回動方向規制手段と摺動する摺動子を備える光ディスク駆動装置を考えた。
【０００４】
かかる光ディスク駆動装置において、光学ヘッド装置の直線移動を決定する直線移動決定軸及び光学ヘッド装置の直線移動決定軸の周囲の回動方向を規制する回動方向規制手段並びに直線移動決定軸若しくは回動方向規制手段と兼用又は単独の送りねじの材料としては、錆び難さ、剛性の高さ、加工のし易さ、加工精度の高さ等から、ステンレス鋼が好適である。
【０００５】
しかしながら、光学ヘッド装置は、光源としてのレーザダイオード、そのレーザダイオードを駆動する駆動ＩＣ（半導体集積回路）、受光素子としてのフォトダイオード等の発熱部品を備えているため、放熱が必要である。特に、光ディスクの高記録密度化のために、レーザダイオードの発光波長の短波長化や、データの高速のやり取りに基づくデータの高転送レート化が図られると、放熱対策は一層重要な問題となって来る。
【０００６】
ところで、光学ヘッド装置は、可動部品であるため、これにヒートシンクを設けることは、光学ヘッド装置の重量や体積の増加を招来するため、好ましくない。
【０００７】
かかる点に鑑み、本発明は、装填された光ディスクを回転駆動するターンテーブル、そのターンテーブルを駆動するスピンドルモータ、光学ヘッド装置及びその光学ヘッド装置を直線移動させる直線駆動手段を少なくとも有し、その直線駆動手段は、光学ヘッド装置の直線移動を決定する直線移動決定軸及び光学ヘッド装置の直線移動決定軸の周囲の回動方向を規制する回動方向規制手段並びに直線移動決定軸若しくは回動方向規制手段と兼用又は単独の送りねじ、その送りねじを駆動するモータ並びに光学ヘッド装置にそれぞれ取り付けられた、送りねじと螺合するナット、送りねじと兼用しない場合の直線移動決定軸を受ける軸受け部及び送りねじと兼用しない場合の回動方向規制手段と摺動する摺動子を備える光ディスク駆動装置であって、ヒートシンクを用いずに、光学ヘッド装置の放熱を良好ならしめるものを提案しようとするものである。
【０００８】
【課題を解決するための手段】
第１の発明は、装填された光ディスクを回転駆動するターンテーブル、そのターンテーブルを駆動するスピンドルモータ、光学ヘッド装置及びその光学ヘッド装置を直線移動させる直線駆動手段を少なくとも有し、その直線駆動手段は、光学ヘッド装置の直線移動を決定する直線移動決定軸及び光学ヘッド装置の直線移動決定軸の周囲の回動方向を規制する回動方向規制手段並びに直線移動決定軸若しくは回動方向規制手段と兼用又は単独の送りねじ、その送りねじを駆動するモータ並びに光学ヘッド装置にそれぞれ取り付けられた、送りねじと螺合するナット、送りねじと兼用しない場合の直線移動決定軸を受ける軸受け部及び送りねじと兼用しない場合の回動方向規制手段と摺動する摺動子を備える光ディスク駆動装置であって、直線移動決定軸及び送りねじのうちの少なくとも一方は、ヒートパイプから構成されている光ディスク駆動装置である。
【０００９】
第１の発明によれば、ターンテーブルが装填された光ディスクを回転駆動し、スピンドルモータがターンテーブルを駆動し、直線駆動手段が光学ヘッド装置を直線移動する。直線駆動手段において、直線移動決定軸が光学ヘッド装置の直線移動を決定し、回動方向規制手段が光学ヘッド装置の直線移動決定軸の周囲の回動方向を規制し、モータが直線移動決定軸若しくは回動方向規制手段と兼用又は単独の送りねじを駆動し、送りねじと螺合するナット、送りねじと兼用しない場合の直線移動決定軸を受ける軸受け部及び送りねじと兼用しない場合の回動方向規制手段と摺動する摺動子が、光学ヘッド装置にそれぞれ取り付けられ、直線移動決定軸及び送りねじのうちの少なくとも一方は、ヒートパイプから構成されている。
【００１６】
第２の発明は、第１の発明の光ディスク駆動装置において、回動方向規制手段は、ヒートパイプから構成されている光ディスク駆動装置である。
【００１７】
第３の発明は、第１の発明の光ディスク駆動装置において、ヒートパイプから構成される、直線移動決定軸及び送りねじのうちの少なくとも一方の表面は、研磨されている光ディスク駆動装置である。
【００１８】
第４の発明は、第２の発明の光ディスク駆動装置において、ヒートパイプから構成される、回動方向規制手段の表面は、研磨されている光ディスク駆動装置である。
【００１９】
【発明の実施の形態】
以下に、図面を参照して、本発明の実施の形態の光ディスク駆動装置の例を説明する。図１及び図２は、それぞれその光ディスク駆動装置の全体の構成を示す斜視図及び平面図で、以下に、これについて説明する。７０は、金属シャーシで、その縁辺には、シャーシ７０と一体に補強用リブ７０ａが形成されている。
【００２０】
図１及び図２において、２０はディスク駆動装置を全体として示し、光ディスクを所定速度（例えば、線速度一定）で回転駆動するテーブル駆動装置２１と、映像データ、音声データ等の情報信号の書き込み及び読み出しを行う第１の光学ヘッド装置２２と、映像データ、音声データ等の情報信号の読出しを行う第２の光学ヘッド装置８１と、第１の光学ヘッド装置２２をテーブル駆動装置２１に対して、直線上を進退動作させる光学ヘッド駆動装置（直線駆動手段）２３と、第２の光学ヘッド装置８１をテーブル駆動装置２１に対して、直線上を進退動作させる光学ヘッド駆動装置（直線駆動手段）８０等を備えて構成されている。
【００２１】
テーブル駆動装置２１は、スピンドルモータ２５と、このスピンドルモータ２５の回転軸の先端部に固定されたターンテーブル２６と、このターンテーブル２６との間で光ディスクを挟持する図示しないチャッキングプレート等を備えて構成されている。スピンドルモータ２５は、薄い板金製のモータベース板（図示せず）の上面に取り付けられている。このモータベース板は、シャーシ７０上に取り付けられている。
【００２２】
２８は光学ヘッド装置２２に接続されたフレキシブル配線板で、このフレキシブル配線板２８の一部が、シャーシ７０の穿設された透孔を通じてシャーシ７０の下方に延在するときに、その透孔の縁の直角な部分と接触して、フレキシブル配線板２８を損傷を受けるのを回避するために、そのシャーシ７０の透孔の縁を一部折り曲げて、折り曲げ部７８を形成し、その折り曲げ部７８の湾曲面にフレキシブル配線板２８が接触し得るようになされている。
【００２３】
スピンドルモータ２５は、モータベース板に固定された固定部と、この固定部によって回転自在に支持された回転部とを有し、回転部の回転中心となる回転軸にターンテーブル２６が圧入等の固着手段により嵌合されて一体に構成されている。
【００２４】
このテーブル駆動装置２１の両側には、シャーシ７０上に、第１及び第２の光学ヘッド装置２２、８１が設けられている。この場合、第１の光学ヘッド装置２２は、記録可能なディスク（例えば、ＤＶＲと称する）に対し、光学的に映像データ、音声データ等のデータの書き込み及び読出しの可能な光学ヘッド装置で、高密度書込み及び読出しのために、レーザ光源として、青色レーザダイオードが用いられている。このＤＶＲは、カートリッジ内に収納されており、そのカートリッジはシャーシ７０上に植立された一対のカートリッジ支持ピン７７及び補強用リブ７０ａと一体に形成された一対のカートリッジ支持部材７６によって支持されると共に、そのディスク自体はターンテーブル２６に装填される。
【００２５】
第２の光学ヘッド装置８１は、ＤＶＤ（Digital Versatile Disk) 規格及びＣＤ（コンパクトディスク）規格の光ディスクよりの映像データ、音声データ等のデータを光学的に再生し得る光学ヘッド装置で、読出しのためのレーザ光源として、赤色及び／又は赤外レーザダイオードが用いられる。
【００２６】
先ず、第１の光学ヘッド装置２２及びそれに関連する各種手段について説明する。このスピンドルモータ２５を両側から挟むように一対のガイド軸（主及び副ガイド軸）３２ａ，３２ｂが、互いに略平行となるように配置されている。一対のガイド軸３２ａ，３２ｂは、外周面が平滑とされた丸棒状の部材によって形成されている。そして、主ガイド軸３２ａはシャーシ７０側に設けられたピン（図示せず）によってその両端が支持されると共に、高さ調整される。副ガイド軸３２ｂは押しねじ（図示せず）によって、その両端が支持されると共に、高さ調整される。
【００２７】
回動板６３は、ねじ７３ａ、７３ｂによって、シャーシ７０にねじ止めされているが、後述する回動中心規定手段６１を中心として、後述する回動駆動手段６２によって、僅かな角度だけ回動し得るようになされている。この回動板６３を回動させることによって、直線駆動手段による光学ヘッド装置２２の移動方向が、ターンテーブル２６の回転中心軸に対する所定の輻方向に一致するように調整することができる。
【００２８】
回動中心規定手段６１及び回動駆動手段６２を結ぶ直線が、ターンテーブル２６の回転中心軸に対する所定の輻方向と略平行となり、回動中心規定手段６１がターンテーブル２６に近い所定位置に位置するように、回動板６３及びシャーシ７０に取付けられると共に、回動駆動手段６２がターンテーブル２６から遠ざかった所定位置に位置するように、回動板６３上に取付けられる。これら回動中心規定手段６１及び回動駆動手段６２の位置及びその間の距離に応じて、回動駆動手段６２の回動による回動板６３の回動角範囲及び回動角精度が決定される。
【００２９】
この一対のガイド軸３２ａ，３２ｂによって光学ヘッド装置２２が、ターンテーブル２６に対して接近及び離反するように、直線上を進退移動可能に支持されている。一対のガイド軸３２ａ，３２ｂそれぞれの各一方の端部はスピンドルモータ２５の両側に配置され、各他方の端部は略平行とされてスピンドルモータ２５から離れる方向に延在されている。
【００３０】
光学ヘッド装置２２は、一対のガイド軸３２ａ，３２ｂにガイドされて摺動するスライド部材３５上に取り付けられて、往復移動せしめられる。スライド部材３５は、一対のガイド軸３２ａ，３２ｂを跨ぐことができる大きさであって、剛性を高くするためにブロック状に形成されている。このスライド部材３５の長手方向の一側には、これと交差する幅方向に対をなす軸受部３５ａ，３５ｂが設けられている。これらの軸受部３５ａ，３５ｂには、主ガイド軸３２ａが摺動自在に挿通されている。
【００３１】
スライド部材３５の長手方向の他側には、副ガイド軸３２ｂが摺動自在に挿通される、Ｌ字状の摺動係合爪３５ｃが設けられている。更に、この摺動係合爪３５ｃは、水平方向に幅広に形成されており、これにより副ガイド軸３２ｂがスライド部材３５の幅方向に対して若干傾くことができるように構成されている。従って、この例では、一対のガイド軸３２ａ，３２ｂが互いに平行となっていないで若干交差する状態にあっても、スライド部材３５は、第１のガイド軸３２ａにガイドされてスムースに摺動することができる。
【００３２】
副ガイド軸３２ｂは、シャーシ７０に設けた一対の軸支持片７４，７４間に掛け渡されており、その両端部がそれぞれ板ばねからなる軸押え板４１で押圧されて所定位置に位置決め固定されている。各軸支持片７４は、シャーシ７０の一部を切り起こすことによって形成されており、シャーシ７０に軸押え板４１を直接ねじ止めすることにより、第２のガイド軸３２ｂがシャーシ７０の所定位置に位置決め固定されている。
【００３３】
光学ヘッド装置２２は、対物レンズ３７を有する２軸アクチュエータと、この２軸アクチュエータを介して、映像データ、音声データ等の情報信号の記録及び再生を行うレーザダイオードや光電変換素子等を有する光学制御部等を備えて構成されている。２軸アクチュエータの大部分はヘッドカバー３８によって覆われており、このヘッドカバー３８に設けた開口部から対物レンズ３７が露出されている。この光学ヘッド装置２２の対物レンズ３７が、ターンテーブル２６に装填された光ディスクの情報記録面に対向される。また、光学制御部には、スライド部材３５の上面に取り付けられた光学ヘッド用コネクタ３９が電気的に接続されている。このコネクタ３９には、上述したフレキシブル配線板２８が接続されている。
【００３４】
一対のガイド軸３２ａ，３２ｂのうち主ガイド軸３２ａは、回動板６３に設けた一対の軸支持片４０，４０によって支持されている。この軸支持片４０，４０は、回動板６３の本体から腕状に突出せしめられている。回動板６３は、ガイド軸３２ａと同程度の長さを有する板金製の細長い板材によって形成されている。この回動板６３の長手方向の両端に、その長手方向と交差する幅方向の同側に突出する一対の軸支持片４０，４０が設けられている。各軸支持片４０は、先端が上方へ立ち上げられているとともに基部がクランク状に折り曲げられており、これにより自由端側に、支持面から所定の高さまで持ち上げられたＬ字形状の軸支持部が形成されている。
【００３５】
このような形状を有する一対の軸支持片４０，４０の各軸支持部に、主ガイド軸３２ａの両端部が位置決めされて載置されている。そして、主ガイド軸３２ａの各端部は、固定ねじ４２で軸支持片４０にねじ止めされた軸押え板４１により押圧されて固定されている。軸押え板４１は、主ガイド軸３２ａの端部を径方向から押圧する押圧片４１ａと、主ガイド軸３２ａの端面に当接して軸方向への移動を阻止するストッパ片４１ｂと、軸押え板４１の回転変位を防止する係止片４１ｃとを有し、適当な弾性を持った板ばねによって形成されている。
【００３６】
軸押え板４１の略中央部には固定ねじ４２が挿通される挿通孔が設けられており、この挿通孔を挟んで一方に突出するよう押圧片４１ａが設けられ、他方に突出するよう係止片４１ｃが設けられている。そして、ストッパ片４１ｂは、軸押え板４１の略中央部において押圧片４１ａと係止片４１ｃとを結ぶ方向と直交する方向に突出するよう設けられている。更に、ストッパ片４１ｂは、先部が押圧片４１ａ側に突出するよう折り曲げ形成されており、この先部を上方へ立ち上げることによって先端部が主ガイド軸３２ａの端面に当接されている。また、係止片４１ｃは、軸支持片４０に設けた凹部に係止されており、これにより、ストッパ片４１ｂに主ガイド軸３２ａから大きな力が作用した場合にも軸押え板４１が回動しないようにしている。尚、一対の軸押え板４１，４１は、左右対称の形状とされている。
【００３７】
このような構成を有する回動板６３は、シャーシ７０に回動自在に取付けられる。また、副ガイド軸３２ｂは、シャーシ７０に設けた一対の軸支持片４１、４１に、シャーシ７０に固定ねじ４２、４２によりねじ止めされた一対の軸押え板（板ばね）４１、４１を用いて直に取り付けられる。
【００３８】
次に、回動板６３に取付けられた送りねじ駆動装置４４について説明する。この送りねじ駆動装置４４は、送りねじ４５と送りモータ４６と支持プレート４７と動力伝達部材としての後述する送りナットとを備えて構成されている。支持プレート４７は、ねじ５３、５３により、回動板６３に取付けられている。送りねじ４５は、ガイド軸３２ａ，３２ｂよりも少々短い丸棒の外周面に、螺旋状に延在された１条のねじ溝を軸方向の略全長に渡って設けることによって形成されている。この送りねじ４５のねじ形状は、溝の両側面に若干の傾斜を持たせた断面形状が台形をなす台形ねじが好適であるが、断面形状が四角形をなす角ねじであってもよく、また、断面形状が半円形をなす半円形ねじとすることもでき、更に、その他の周知形状のねじを適用することもできる。更に、この例では、送りねじ４５を右ねじによって形成したが、左ねじを用いることができることは勿論である。
【００３９】
この送りねじ４５は、駆動源である送りモータ（電動モータ）４６の回転軸を兼ねており、送りモータ４６によって直接回転駆動される。送りモータ４６のケースは、支持プレート４７のモータ支持片にカシメ等の固着手段により固定されて一体的に構成されている。
【００４０】
上述した動力伝達部材の一具体例を示す送りナットは、送りねじ４５の回転力を直線運動に変換してスライド部材３５に伝達するもので、第１のナット部材５５と第２のナット部材５６とによって構成されている。そして、第１のナット部材５５と第２のナット部材５６との間に弾性部材の一具体例を示すコイル状の弾性体であるコイルばね５７が介在されている。このコイルばね５７のバネ力で一対のナット部材５５，５６を互いに離反する方向に付勢することにより、送りナット（第１のナット部材）５５と送りねじ４５との間に生じる軸方向のガタを吸収するようにしている。
【００４１】
第１のナット部材５５に設けた駆動突起（図示せず）には、スライド部材３５に固定される突起受け部材６８が係合されており、この突起受け部材６８を介して送りナット（第１のナット部材）５５の移動力がスライド部材３５に伝達される。
【００４２】
上述した回動板６３及び支持プレート４７の材質としては、例えば、ステンレス鋼板が好適であるが、スチール鋼板その他の金属製プレートを用いることができることは勿論のこと、強度の大きなエンジニアリングプラスチックを用いることもできる。また、送りねじ４５の材質としては、例えば、ステンレス鋼等のように錆難く、十分に大きな強度を有する金属材料が好適である。更に、突起受け部材６８の材質としては、例えば、弾性の大きなステンレス鋼板が好適であるが、その他の板材を用いることもできる。
【００４３】
上述した一対のガイド軸３２ａ，３２ｂと、回動板６３と、送りねじ駆動装置４４とによって、光学ヘッド装置２２をターンテーブル２６に対して、直線上を進退動作させるための光学ヘッド駆動装置２３が構成されている。
【００４４】
次に、図１及び図２を参照して、第２の光学ヘッド装置８１及びそれに関連する各種手段について説明する。８９は、移動体としての光学ヘッド取付け部材（例えば、プラスチック材料から構成される）で、この光学ヘッド取付け部材８９は、取付けねじ９０ａ、９０ｂ、９０ｃによって、シャーシ７０上に取付けられているが、この光学ヘッド取付け部材８９をシャーシ７０に対し僅か移動させることによって、後述する直線駆動手段による光学ヘッド装置８１の移動方向が、ターンテーブル２６の回転中心軸に対する所定の輻方向に一致するように調整可能とされている。
【００４５】
この第２の光学ヘッド装置８１では、第１の光学ヘッド装置２２についての説明のところで説明したテーブル駆動装置２１を共用する。テーブル駆動装置２１のスピンドルモータ２５を両側から挟むようにガイド軸８４及び送りねじ８６が略平行となるように、光学ヘッド取り付け部材８９上に取り付けられている。ガイド軸８４は、外周面が平滑とされた丸棒状の部材によって形成されている。送りねじ８６は、駆動源である送りモータ（電動モータ）８７の回転軸を兼ねており、送りモータ８７によって、直接回転駆動される。送りねじ８６は、ガイド軸３２ａ，３２ｂよりも少々短い丸棒の外周面に、螺旋状に延在された２条のねじ溝を軸方向の略全長に渡って設けることによって形成されている。この送りねじ８６のねじ形状は、溝の両側面に若干の傾斜を持たせた断面形状が台形をなす台形ねじが好適であるが、断面形状が四角形をなす角ねじであってもよく、また、断面形状が半円形をなす半円形ねじとすることもでき、更に、その他の周知形状のねじを適用することもできる。更に、この例では、送りねじ８６を右ねじによって形成したが、左ねじを用いることができることは勿論である。
【００４６】
光学ヘッド装置８１は、対物レンズ８２を有する２軸アクチュエータと、この２軸アクチュエータを介して映像データ、音声データ等の情報信号の記録及び再生を行うレーザダイオードや光電変換素子等を有する光学制御部等を備えて構成されている。２軸アクチュエータの大部分はヘッドカバー８３によって覆われており、このヘッドカバー８３に設けた開口部から対物レンズ８２が露出されている。この光学ヘッド装置８１の対物レンズ８２が、ターンテーブル２６に装填された光ディスクの情報記録面に対向される。
【００４７】
光学ヘッド装置８１は、このガイド軸８４並びに送りねじ８６及びその送りねじ８６を駆動する送りモータ８７によって、ターンテーブル２６に対して接近及び離反するよう進退移動可能に支持されている。即ち、光学ヘッド装置８１は、ナット８８に取り付けられ、そのナット８８が送りねじと螺合せしめられている。光学ヘッド装置８１には、ガイド軸８４に対し摺動自在の摺動子９２が取り付けられている。光学ヘッド装置８１には、再生データ取り出し用等のためのフレキシブル配線板９１が接続されている。
【００４８】
直線駆動手段による光学ヘッド装置８１の移動方向が、ターンテーブル２６の回転中心軸に対する所定の輻方向と平行となるように、ねじ９０ａ、９０ｂ等によって、光学ヘッド取付け部材８９がシャーシ７０に対し可動自在にねじ止めされている。光学ヘッド取付け部材８９シャーシ７０に対し、治具と共同して、ターンテーブル２６の回転中心軸に対する所定の輻方向に対し平行移動させるための平行駆動手段が設けられ、平行駆動手段による光学ヘッド取付け部材８９の平行移動によって、直線駆動手段による光学ヘッド装置８１の移動方向が、ターンテーブル２６の回転中心軸に対する所定の輻方向に一致するように調整可能とされている。
【００４９】
図３に、図１及び図２で説明した光ディスク駆動装置のターンテーブル２６上に、カートリッジＣＲＤに収納された光ディスクが装填されている状態を示す。この場合には、第２の光学ヘッド装置８１は、退避位置にあり、図３では図示されていない第１の光学ヘッド装置２２がカートリッジＣＲＤに収納された記録可能な光ディスクにアクセスしている。尚、カートリッジＣＲＤに収納された光ディスクのそのカートリッジカートリッジＣＲＤの構造の一例については、図５及び図６を参照して、後述する。
【００５０】
図４に、図１及び図２で説明した光ディスク駆動装置のターンテーブル２６上に、裸の光ディスクＯＤが装填されている状態を示す。この場合には、第１の光学ヘッド装置２２は、退避位置にあり、図４では図示されていない第２の光学ヘッド装置８１が光ディスクＯＤにアクセスしている。この光ディスクＯＤは、上述したように、ＣＤ又はＤＶＤである。
【００５１】
次に、図５及び図６を参照して、図３で説明したカートリッジＣＲＤに収納された光ディスクのそのカートリッジＣＲＤの構造の一例を説明する。図５は、光ディスクの収納されたカートリッジの表側の外観を示す斜視図、図６はそのカートリッジの裏側の外観を示す斜視図である。
【００５２】
図５及び図６において、１２０はカートリッジ収納型光ディスクを全体として示す。１２２はカートリッジ筐体を示し、これは上シェル１２３、下シェル１２４及び中シェル１２５から構成される。そのカートリッジ筐体１２２内のディスク収納室内には、光ディスクが回転自在に収納されている。
【００５３】
図５に示す如く、上シェル１２３は、２色のＡＢＳ樹脂を用いて２色成形によって形成されている。即ち、Ｃ字状をなす透し窓１２３Ａが無色透明のＡＢＳ樹脂によって形成されており、その他の部分は適当な色のＡＢＳ樹脂によって形成されている。この透し窓１２３Ａからディスク収納室内の光ディスクのレベル面（レーベル面）（図示を省略する）を見ることができるようになっている。
【００５４】
図５において、１３６は誤消去防止片を示し、その誤消去防止片１３６が防止片収納部内に設けられ、その防止片収納部は、カートリッジ筐体１２２の背面に開口する操作窓１３７ａを有し、この操作窓１３７ａを開閉するように誤消去防止片１３６がスライド可能に取り付けられている。
【００５５】
図６に示すように、下シェル１２４の開口部１８６は、ターンテーブルが出し入れされる中央部に設定されたテーブル用開口部１２５ａと、このテーブル用開口部１２５ａの前後方向の両側に延在されたヘッド用開口部１２５ｂとから構成され、その開口部１８６は、光ディスクの情報記録面に対向される。
【００５６】
図６において、１１８はシャッタ機構を示し、一対のシャッタ部材１１８ａ、１１８ｂから構成される。又、この下シェル１２４の２箇所の隅部には、カートリッジ収納型光ディスク１２０を光ディスク駆動装置のターンテーブル２６に装填するときに、図１及び図２の光ディスク駆動装置のカートリッジ支持ピン７７、７７と嵌合して、カートリッジ収納型光ディスク１２０が位置決めされる円孔１８０ｈ、１８０ｈが穿設されている。尚、カートリッジ収納型光ディスク１２０を光ディスク駆動装置のターンテーブル２６に装填したときに、光ディスク駆動装置のシャーシ７０の補強リブ７０ａと一体に形成された、断面がＬ字形のカートリッジ支持部材７６、７６の折り曲げ部に、下シェル１２４の面が接触する。そして、カートリッジ支持ピン７７、７７及びカートリッジ支持部材７６、７６によって、カートリッジ収納型光ディスク１２０が支持される。
【００５７】
次に、図７を参照して、本発明の実施の形態の光ディスク駆動装置の例を説明する。図７Ａ、Ｂ及びＣは、図１〜図６を参照して説明した光ディスク駆動装置の例における第１の光学ヘッド装置２２、スピンドルモータ２５及びターンテーブル２６の部分を抽出し、一部を簡略化又は変更して示した平面図、その平面図のそれぞれ左側及び下側の側面図を示す。ＤＳＫはターンテーブル２６に装填される光ディスクを示し、図５のカートリッジ収納型光ディスク１２０の光ディスクに相当する。
【００５８】
主ガイド軸３２ａは、光学ヘッド装置２２の直線移動を決定する直線移動決定軸で、光学ヘッド装置２２の軸受け部３５Ａによって軸受けされ、その両端はガイド軸固定部４１Ａ、４１Ｂによって、基板（金属基板）ＢＳＤ上に取付けられている。
【００５９】
副ガイド軸３２ｂは、光学ヘッド装置２２の直線移動決定軸（主ガイド軸）３２ａの周囲の回動方向を規制する回動方向規制手段で、軸受け部３５Ｂによって軸受けされ、その両端はガイド軸固定部４１Ｃ、４１Ｄによって、基板ＢＳＤ上に取付けられている。
【００６０】
送りねじ４５は、光学ヘッド装置２２に取付けられたナット５５Ａに螺合せしめられると共に、送りモータ４６によって駆動される。
【００６１】
図８に、主ガイド軸３２ａ（副ガイド軸３２ｂ）の断面を示し、これはステンレス鋼より熱伝導率の高い金属材料、例えば、アルミニウム、アルミニウムの合金、銅、銅の合金等のいずれかを採用した本体ｘの表面をメッキ処理、酸化処理、窒化処理等の防錆処理を行って、防錆被膜ｙを形成する。この防錆被膜ｙを、スーパーフィニッシュ、バレル研磨等の研磨を行って、軸受け部３５Ａ、３５Ｂに対する摺動特性を向上させる。
【００６２】
図示を省略するも、送りねじ４５をも、ステンレス鋼より熱伝導率の高い金属材料、例えば、アルミニウム、アルミニウムの合金、銅、銅の合金等のいずれかを採用した本体の表面をメッキ処理、酸化処理、窒化処理等の防錆処理を行って、防錆被膜を形成する。この防錆被膜上を、スーパーフィニッシュ、バレル研磨等の研磨を行って、ナット５５Ａに対する摺動特性を向上させる。
【００６３】
軸受け部３５Ａ、３５Ｂ及びナット５５Ａも、ステンレス鋼より熱伝導率の高い金属材料、例えば、アルミニウム、アルミニウムの合金、銅、銅の合金等のいずれかを採用した本体の表面をメッキ処理、酸化処理、窒化処理等の防錆処理を行って、防錆被膜を形成する。この防錆被膜上を、スーパーフィニッシュ、バレル研磨等の研磨を行って、主ガイド軸３２ａ、副ガイド軸３２ｂ及び送りねじ４５に対する摺動特性を向上させる。
【００６４】
又、主ガイド軸３２ａ、副ガイド軸３２ｂ及び送りねじ４５をヒートパイプにて構成して、光学ヘッド装置２２において発生する熱をこれらヒートパイプによって、放熱することもできる。これらヒートパイプから構成される主ガイド軸３２ａ、副ガイド軸３２ｂ及び送りねじ４５の表面をスーパーフィニッシュ、バレル研磨等の研磨を行って、軸受け部３５Ａ、３５Ｂ及びナット５５Ａに対する摺動特性を向上させる。
【００６５】
次に、図９を参照して、本発明の実施の形態の光ディスク駆動装置の他の例を説明する。図９Ａ、Ｂ及びＣは、図７Ａ、Ｂ及びＣに示した光ディスク駆動装置の変形例を示し、図７における副ガイド軸３２ｂ及び軸受け部３５Ｂの代わりに、平面状のガイド面を有するガイド板３２Ｂ及びそのガイド面と摺動する摺動子３５Ｃを設けた場合である。ガイド板３２Ｂは、基板ＢＳＤ上に取り付けられ、摺動子３５Ｃは光学ヘッド２２に取り付けられる。
【００６６】
そして、このガイド板３２Ｂ及び摺動子３５Ｃを、ステンレス鋼より熱伝導率の高い金属材料、例えば、アルミニウム、アルミニウムの合金、銅、銅の合金等のいずれかを採用した本体の表面をメッキ処理、酸化処理、窒化処理等の防錆処理を行って、防錆被膜を形成する。この防錆被膜上を、スーパーフィニッシュ、バレル研磨等の研磨を行って、ガイド板３２Ｂ及び摺動子３５Ｃ相互の摺動特性を向上させる。
【００６７】
又、ガイド板３２Ｂをヒートパイプにて構成して、光学ヘッド装置２２において発生する熱をこれらヒートパイプによって、放熱することもできる。このヒートパイプから構成されるガイド板３２Ｂの表面をスーパーフィニッシュ、バレル研磨等の研磨を行って、摺動子３５Ｃに対する摺動特性を向上させる。
【００６８】
図９において、その他の構成は、図７と同様である。
【００６９】
次に、図１０を参照して、本発明の実施の形態の光ディスク駆動装置の更に他の例を説明する。図１０Ａ、Ｂ及びＣは、図７Ａ、Ｂ及びＣに示した光ディスク駆動装置の変形例を示し、図１０では、図７における主ガイド軸３２ａを省略し、送りねじ４５を光学ヘッド装置２２の直線移動を決定する直線移動決定軸とした場合である。
【００７０】
又、送りねじ４５及び副ガイド軸３２ｂをヒートパイプにて構成して、光学ヘッド装置２２において発生する熱をこれらヒートパイプによって、放熱することもできる。このヒートパイプから構成される送りねじ４５及び副ガイド軸３２ｂの表面をスーパーフィニッシュ、バレル研磨等の研磨を行って、ナット５５Ａ及び軸受け部３５Ｂに対する摺動特性を向上させる。
【００７１】
図１０において、その他の構成は、図７と同様である。尚、図１０の例は、第２の光学ヘッド装置８１にも適用し得る。
【００７２】
次に、図１１を参照して、本発明の実施の形態の光ディスク駆動装置の更に他の例を説明する。図１１Ａ、Ｂ及びＣは、図７Ａ、Ｂ及びＣに示した光ディスク駆動装置の変形例を示し、図１１では、図７における副ガイド軸３２ｂを省略し、送りねじ４５を光学ヘッド装置２２の直線移動決定軸としての主ガイド軸３２ａの周囲の回動方向を規制する回動方向規制手段とした場合である。
【００７３】
又、主ガイド軸３２ａ及び送りねじ４５をヒートパイプにて構成して、光学ヘッド装置２２において発生する熱をこれらヒートパイプによって、放熱することもできる。主ガイド軸３２ａ及び送りねじ４５の表面をスーパーフィニッシュ、バレル研磨等の研磨を行って、軸受け部３５Ａ及びナット５５Ａに対する摺動特性を向上させる。
【００７４】
図１１において、その他の構成は、図７と同様である。
【００７５】
光学ヘッド装置２２で発生した熱は、下記の３種類の伝熱効果により放熱される。
▲１▼  光学ヘッド装置２２で発生した熱が、熱伝導によって光学ヘッド装置２２内を伝わり、図７の例で述べれば、軸受け部３５Ａ及び主ガイド軸３２ａと、軸受け部３５Ｂ及び副ガイド軸３２ｂと、ナット５５Ａ及び送りねじ４５とを通じて、基板ＢＳＤに伝えられて、放熱される。
▲２▼  光学ヘッド装置２２で発生した熱が、熱伝導によって光学ヘッド装置２２内を伝わり、光学ヘッド装置２２の表面から、その周囲の空気に伝えられて、放熱される。
▲３▼  光学ヘッド装置２２で発生した熱が、熱伝導によって光学ヘッド装置２２内を伝わり、光学ヘッド装置２２の表面から、熱輻射によって、放熱される。
これらの▲１▼〜▲３▼の放熱のうち、▲１▼による放熱が支配的であり、上述の図７〜図１１の光ディスク駆動装置の例では、▲１▼の放熱を利用したものである。
【００７６】
これら▲１▼〜▲３▼の放熱の度合いは、光学ヘッド装置２２内で発生する熱量の大小、光学ヘッド装置２２内で発生した熱が熱伝導及び輻射によって放熱される場合における光学ヘッド装置２２の表面積の大小、光学ヘッド装置２２内で発生した熱が伝えられる主たる部品の熱伝導率の大小、図７の例について言えば、光学ヘッド装置２２と、送りねじ４５、主ガイド軸３２ａ及び副ガイド軸３２ｂとの間の距離の大小等に依存する。
【００７７】
図１２は、軸（主ガイド軸３２ａ、副ガイド軸３２ｂ）（送りねじ４５も可）の金属材料の違いによる光学ヘッド装置２２（ＯＰ）の温度上昇値（°Ｃ）を示す。ＳＵＳ４２０はステンレス鋼、Ｓ４５Ｃは炭素鋼、Ａ７０７５はジュラルミン、ＢｅＣｕはベリリウム銅、ＣｒＣｕはクロム合金、Ｃ１１００はタフピッチ銅をそれぞれ示す。
【００７８】
この図１２によれば、軸（主ガイド軸３２ａ、副ガイド軸３２ｂ）（送りねじ４５も可）の金属材料としては、ステレンス鋼を除く金属材料が使用可能である。
【００７９】
図１３は、図１２で述べた各金属材料の熱伝導率（Ｗ／ｍＫ）を横軸に、光学ヘッド装置２２の温度低減値（°Ｃ）を縦軸に採って、その分布を示したもので、熱伝導率の高い金属材料の軸を使用する程、光学ヘッド装置２２の温度低減値が高くなる。この図１３からも、軸（主ガイド軸３２ａ、副ガイド軸３２ｂ）（送りねじ４５も可）の金属材料としては、ステレンス鋼を除く金属材料が使用可能であることが分かる。
【００８０】
【発明の効果】
第１の発明は、装填された光ディスクを回転駆動するターンテーブル、そのターンテーブルを駆動するスピンドルモータ、光学ヘッド装置及びその光学ヘッド装置を直線移動させる直線駆動手段を少なくとも有し、その直線駆動手段は、光学ヘッド装置の直線移動を決定する直線移動決定軸及び光学ヘッド装置の直線移動決定軸の周囲の回動方向を規制する回動方向規制手段並びに直線移動決定軸若しくは回動方向規制手段と兼用又は単独の送りねじ、その送りねじを駆動するモータ並びに光学ヘッド装置にそれぞれ取り付けられた、送りねじと螺合するナット、送りねじと兼用しない場合の直線移動決定軸を受ける軸受け部及び送りねじと兼用しない場合の回動方向規制手段と摺動する摺動子を備える光ディスク駆動装置であって、直線移動決定軸及び送りねじのうちの少なくとも一方は、ヒートパイプから構成されているので、ヒートシンクを用いずに、光学ヘッド装置の放熱を良好ならしめることのできる光ディスク駆動装置を得ることができる。
【００８７】
第２の発明によれば、第１の発明の光ディスク駆動装置において、回動方向規制手段は、ヒートパイプから構成されているので、ヒートシンクを用いずに、光学ヘッド装置の放熱を一層良好ならしめることのできる光ディスク駆動装置を得ることができる。
【００８８】
第３の発明によれば、第１の発明の光ディスク駆動装置において、ヒートパイプから構成される、直線移動決定軸及び送りねじのうちの少なくとも一方の表面は、研磨されているので、第１の発明の効果に加えて、直線移動決定軸及び送りねじのうちの少なくとも一方と、摺動子及びナットのうちの少なくとも一方に対する摺動性又は螺合性を向上させることのできる光ディスク駆動装置を得ることができる。
【００８９】
第４の発明によれば、第２の発明の光ディスク駆動装置において、ヒートパイプから構成される、回動方向規制手段の表面は、研磨されているので、第２の発明の効果に加えて、回動方向規制手段と摺動子との間の摺動性を向上させることのできる光ディスク駆動装置を得ることができる。
【図面の簡単な説明】
【図１】本発明の実施の形態の光ディスク駆動装置の例を示す斜視図である。
【図２】本発明の実施の形態の光ディスク駆動装置の例を示す平面図である。
【図３】本発明の実施の形態の光ディスク駆動装置のターンテーブル上にカートリッジに収納された光ディスクを装填した状態を示す平面図である。
【図４】本発明の実施の形態の光ディスク駆動装置のターンテーブル上に光ディスクを装填した状態を示す平面図である。
【図５】光ディスクの収納されたカートリッジの表側の外観を示す斜視図である。
【図６】光ディスクの収納されたカートリッジの裏側の外観を示す斜視図である。
【図７】Ａ  本発明の実施の形態の光ディスク駆動装置の例の平面図である。
Ｂ  Ａの光ディスク駆動装置の例の左側を示す側面図である。
Ｃ  Ａの光ディスク駆動装置の例の下側を示す側面図である。
【図８】図７の実施の形態の光ディスク駆動装置の例における主ガイド軸及び副ガイド軸を示す断面図である。
【図９】Ａ  本発明の実施の形態の光ディスク駆動装置の他の例の平面図である。
Ｂ  Ａの光ディスク駆動装置の他の例の左側を示す側面図である。
Ｃ  Ａの光ディスク駆動装置の他の例の下側を示す側面図である。
【図１０】Ａ  本発明の実施の形態の光ディスク駆動装置の更に他の例の平面図である。
Ｂ  Ａの光ディスク駆動装置の更に他の例の左側を示す側面図である。
Ｃ  Ａの光ディスク駆動装置の更に他の例の下側を示す側面図である。
【図１１】Ａ  本発明の実施の形態の光ディスク駆動装置の更に他の例の平面図である。
Ｂ  Ａの光ディスク駆動装置の更に他の例の左側を示す側面図である。
Ｃ  Ａの光ディスク駆動装置の更に他の例の下側を示す側面図である。
【図１２】軸材料の違いによるＯＰ（光学ヘッド装置）温度上昇値（°Ｃ）を示すグラフである。
【図１３】各軸材料の熱伝導率（Ｗ／ｍＫ）及び温度低減値（°Ｃ）を示すグラフである。
【符号の説明】
ＢＳＤ  基板、２２  光学ヘッド、３７  対物レンズ、３８  ヘッドカバー、ＤＳＫ  光ディスク、３２ａ  主ガイド軸、３５Ａ  軸受け部、３２ｂ  副ガイド軸、３５Ｂ  軸受け部、４５  送りねじ、４６  モータ、５５Ａ  ナット。
【図１】
0004396072.tif 000002
【図２】
0004396072.tif 000003
【図３】
0004396072.tif 000004
【図４】
0004396072.tif 000005
【図５】
0004396072.tif 000006
【図６】
0004396072.tif 000007
【図７】
0004396072.tif 000008
【図８】
0004396072.tif 000009
【図９】
0004396072.tif 000010
【図１０】
0004396072.tif 000011
【図１１】
0004396072.tif 000012
【図１２】
0004396072.tif 000013
【図１３】
0004396072.tif 000014